(57)【要約】【課題】非接触型ＩＣモジュールとこの非接触型ＩＣモジュールに記録されたデータを読み取りできる読取装置を用いて商品注文が行なえるようにし、飲食物メニュー表などの注文表の紙面上の美観を損なうことなくデザインやレイアウトを整えて目視での商品選択が容易に行なえるようにする。【解決手段】商品注文受付システム１を、商品の品名、画像、価格などの情報６が記載され透明な導電層７を配している表示部５に非接触型ＩＣモジュール８を対応させて埋設した商品選択注文表２と、非接触型ＩＣモジュール８に非接触にしてこの非接触型ＩＣモジュール８に記録されたデータを読み取り、読み取ったデータを無線または有線を介して外部出力する非接触型リーダ３と、非接触型リーダ３から出力されたデータを、該データに対応する商品の情報に変換して表示するとともに、データを集積して外部送信可能に記憶する表示端末機器４とから構成した。【選択図】図１
2008021185.tif 000002
【特許請求の範囲】
【請求項１】
シートの表面に商品の品名、画像、価格などの情報が記載されている表示部を複数有し、該表示部それぞれの表面に透明な導電層を配して、前記導電層それぞれが隣接の表示部の導電層と非連続にして独立して設けられ、前記シートの内部には、アンテナとこのアンテナに接続されたＩＣチップとからなり非接触状態でデータの送受信が可能に設けられている非接触型ＩＣモジュールが表示部それぞれに対応する位置にして埋設され、表示部に表示された商品の情報からなるデータが、該表示部下の前記非接触型ＩＣモジュールに記録されている商品選択注文表と、
一対の導通端子を前記表示部の導電層に当接させて一つの導通端子が導電層を介して導通することによりスイッチ回路が閉じる導通スイッチを有して、前記導通スイッチの閉時に前記導通端子が相対している表示部の下の非接触型ＩＣモジュールに非接触にしてこの非接触型ＩＣモジュールに記録されたデータを読み取り、前記読み取ったデータを無線または有線を介して外部出力する非接触型リーダと、
前記非接触型リーダから出力されたデータを、該データに対応する前記情報に変換して表示するとともに、前記データを集積して外部送信可能に記憶する表示端末機器とからなることを特徴とする商品注文受付システム。
【発明の詳細な説明】
【技術分野】
【０００１】
本発明はレストランや回転寿司店舗などにおいて顧客テーブル側から顧客自身が操作して各種の飲食物などの商品の注文を行なえるようにした商品注文受付システムに関するものである。
【背景技術】
【０００２】
従来から、製品に製品情報などのデータを表すバーコードを付与し、このバーコードを専用のバーコードリーダで読み取るようにすることにより製品情報の入力作業を省力化し、その製品の在庫管理や配送管理などを確実なものとする方法が提案され、実施されてきている。
また、一方、飲食店などにおいても顧客から受ける注文を電子的なデータとするため、商品とその商品に係る情報を示すバーコードとを並べて掲載した飲食物メニュー表があり、店員ばかりでなく顧客自体がその飲食物メニュー表のバーコードを専用のバーコードリーダに読み取らせ、読み取ったデータを所定部門に送信するなどの方法が各種提案されている（特許文献１、２参照）。
【特許文献１】特開平０６−２２５００６号公報
【特許文献２】特開２００３−１７８１２４号公報
【発明の開示】
【発明が解決しようとする課題】
【０００３】
一般的に、飲食物メニュー表にあっては顧客が商品情報を目視にて理解し易いように表現されている場合が多く、特にファミリーレストランなどの家族向け飲食店で用いるメニューでは、一商品情報を商品名と価格と商品画像などで構成しながらも、紙面上での商品情報の位置を工夫して見易くし、かつ、注文意欲をそそるように、美観に優れたデザインやレイアウトとしている。
しかしながら、上述したバーコードを利用する飲食物メニュー表では、印刷からなる黒の縞模様状のバーコードが商品情報の一部分に含まれ、紙面上の複数個所にこの黒の縞模様部分が配置されることになり、このバーコードを設けないものと比べると紙面のデザインが変わって美観が大きく損なわれてしまうという問題がある。すなわち、本来、光学的機械読み取り用に開発されたバーコードや二次元コードでは、人間の視覚には何ら意味の無い模様であり、デザイン的にはメニュー表の意匠性を損なうばかりでなく、レイアウト的にはメニューに関連する商品情報のスペースを制限してしまう。
【０００４】
一方、近年においては、ＲＦＩＤ（Ｒａｄｉｏ  Ｆｒｅｑｕｅｎｃｙ  ＩＤｅｎｔｉｆｉｃａｔｉｏｎ） と称される無線通信での電子データの交信を行なって個別識別を行なう方法が実用化されてきている。これは、アンテナとＩＣチップとからなり非接触状態でデータの送受信が可能な非接触型ＩＣモジュールをタグに埋め込んでこれを物品に貼り付けたり、または直接物品に埋め込み、その非接触型ＩＣモジュールに物品の情報を無線状態で読み取りできる電子データにして記録し、非接触型リーダ（データ読取端末）を非接触型ＩＣモジュールに電気的接続することなくその非接触型リーダで非接触型ＩＣモジュールに記録されているデータを読み取ることができるようにしたものであり、非接触型ＩＣモジュール側に、物品ごとに異なる情報に対応したデータを記録しておくことで、非接触型リーダにて物品に触れることなくデータを読み出し、そのデータを利用して物品の識別などを行なえようにした用途が多く提案されるようになってきている。
そこで本発明は上記事情に鑑み、非接触型ＩＣモジュールとこの非接触型ＩＣモジュールに記録されたデータを読み取りできる読取装置を用いて商品注文が行なえるようにすることを課題とし、飲食物メニュー表などの注文表の紙面上のデザインを整えて目視での商品選択が容易に行なえるようにすることを目的とするものである。
【課題を解決するための手段】
【０００５】
本発明は上記課題を考慮してなされたもので、シートの表面に商品の品名、画像、価格などの情報が記載されている表示部を複数有し、該表示部それぞれの表面に透明な導電層を配して、前記導電層それぞれが隣接の表示部の導電層と非連続にして独立して設けられ、前記シートの内部には、アンテナとこのアンテナに接続されたＩＣチップとからなり非接触状態でデータの送受信が可能に設けられている非接触型ＩＣモジュールが表示部それぞれに対応する位置にして埋設され、表示部に表示された商品の情報からなるデータが、該表示部下の前記非接触型ＩＣモジュールに記録されている商品選択注文表と、一対の導通端子を前記表示部の導電層に当接させて一つの導通端子が導電層を介して導通することによりスイッチ回路が閉じる導通スイッチを有して、前記導通スイッチの閉時に前記導通端子が相対している表示部の下の非接触型ＩＣモジュールに非接触にしてこの非接触型ＩＣモジュールに記録されたデータを読み取り、前記読み取ったデータを無線または有線を介して外部出力する非接触型リーダと、前記非接触型リーダから出力されたデータを、該データに対応する前記情報に変換して表示するとともに、前記データを集積して外部送信可能に記憶する表示端末機器とからなることを特徴とする商品注文受付システムを提供して、上記課題を解消するものである。
【発明の効果】
【０００６】
本発明によれば、非接触状態でデータの送受信が可能である非接触型ＩＣモジュールが商品選択注文表に埋設され、その非接触型ＩＣモジュールが表示部の商品の情報からなるデータを有しているので、非接触型リーダをその表示部の導電層に当接することでその商品のデータを読み出すことができる。そして、シート上の各表示部には商品の品名、画像、価格などの人が目視にて理解できる情報のみであればよく、各商品の情報が見易くなり、導電層も透明であるため、美観を損なうこともない。さらに、非接触型リーダの当接時のみ、データの読み取り動作を行なわせるため、商品選択注文表を取り扱う利用者が商品を選択するときに、その利用者に非接触型リーダを当接させる操作を意識させて、データの読み取り操作をより確実に行なわせることができるなどといった実用性に優れた効果を奏するものである。
【発明を実施するための最良の形態】
【０００７】
つぎに本発明を図示の実施の形態に基づいて詳細に説明する。
図中１は商品注文受付システムで、この商品注文受付システム１は図１に示すように商品選択注文表２と非接触型リーダ３と表示端末機器４とからなるものであり、一例としては、飲食店などの顧客が着座するボックスそれぞれに商品選択注文表２と非接触型リーダ３とが用意されるとともに、ボックスの例えば顧客テーブルに前記表示端末機器４が固定的に取り付けられる使用形態となるものである。
まず、この商品注文受付システム１の商品選択注文表２にあっては、図２、３に示すようにシート状のものとされ、その片面の複数の表示部５が印刷にて形成されていて、表示部５それぞれは商品の品名と商品の形態を表す写真や絵などの画像と商品の価格とからなる情報６を有してなるものであり、この情報６は人が目視して表示内容を理解できる形態に構成されている。さらにこの表示部５それぞれの表面の中央部分には透明な導電層７が配されていて、この導電層７それぞれが隣接の表示部の導電層７と非連続にして独立して設けられている。この導電層７は前記情報６とオーバーラップして位置しているが、透明であるので情報６に対する確認を損なうものではない。
また、商品選択注文表２のシート本体内に、非接触型ＩＣモジュール８が前記表示部５それぞれに対応する位置にして埋設されている。図３に示されているように商品選択注文表２のシート本体は、上紙９と下紙１０とを、前記表示部５に対応する部分で空所１１となるようにして接着剤１２を介して接着してなるものであり、前記空所１１に非接触型ＩＣモジュール８を位置させ、非接触型ＩＣモジュール８自体が外部に表出しないように埋設した状態としている。
このように商品選択注文表２では非接触型モジュール７を内部に有しているものであるため、ＲＦＩＤ（Ｒａｄｉｏ  Ｆｒｅｑｕｅｎｃｙ  ＩＤｅｎｔｉｆｉｃａｔｉｏｎ） と称される無線通信での電子データの交信を行なって個別識別を実施できる機能を有しているものとなっている。なお、図２では説明を容易にするために前記空所１１の位置のみを破線で示し、前記非接触型ＩＣモジュール７は示していない。
【０００８】
非接触型ＩＣモジュール７は、上記空所１１における上紙９の裏面に形成されたアンテナ１３に、このアンテナ１３の端部の間に跨るようにしてバンプ１４を介してＩＣチップ１５を実装し、上述したように非接触状態でデータ（電子データ）の送受信が可能に設けられているものである。このアンテナ１３は、通常、カーボンや黒鉛、銀粉やアルミ粉、あるいはこれらの混合体をインキビヒクルに分散してなる導電性インキを使用するため、メニュー表の表示部印刷などと同様に、オフセット印刷やグラビア印刷などにて形成でき、また、近接時あるいは当接時のアンテナ部とセンサ部との読み取り距離や読み取り領域を鑑みながら、その形状（直線状、渦巻き状、羽状などのアンテナパターン）やサイズ（長さ、面積など）が調整されている。前記ＩＣチップ１５はデータの読み書き（データ呼び出し・登録・削除・更新など）が可能とされ、この非接触型ＩＣモジュール７から後述の非接触型リーダ（データ読み取り端末）によりデータを読み出すことができるように設けられている。前記ＩＣチップ１５自体も接着剤１２で上紙９に対して接着固定されている。なお、このＩＣチップ１５の接着固定に用いられる接着剤１２は上下紙を貼り合わせる接着剤１２と同じ素材である必要はない。特に、バンプ１４とアンテナ１３とは、異方導電性接着剤を介して接着することにより、ＩＣチップ１５へは垂直方向にのみ導通した接続が得られる。本発明においては表示部５の下に埋め込まれている非接触型ＩＣモジュール８には、その表示部５で示している商品の情報６がデータ（電子データ）として記録されていて、非接触型リーダ３を用いることでその表示部５の商品に係るデータを読み取ることができる。
なお、ＲＦＩＤにおいて非接触でデータ交信をする場合、必ず非接触型ＩＣモジュールとデータ読み取り端末とが所定間隔を保持させるものであるが、本発明において非接触型リーダが読み取り対象物、すなわち、本飲食物メニュー表に当接している場合でも、シートの厚みとＲＦＩＤリーダにおけるセンサ部の取り付け位置の調整などにより、センサ部とアンテナ部とは所定間隔を保持するように構成されている。また、商品選択注文表の隣り合う表示部の間を、表示部それぞれに対応している非接触型ＩＣモジュールの最長応答可能距離より長い間隔とすることで、一つの表示部に非接触型リーダを当接させたときに他の表示部における非接触型ＩＣモジュールが応答することがなく、データの読み取りをより確実にすることも必須な構成である。
【０００９】
図４は商品の情報を読み取ることができる非接触型リーダ３を示している。図示されているようにこの非接触型リーダ３は先端に一つの導電端子１６を突設させてなる導電スイッチ１７がオンオフ制御部１８を介してセンサ部１９に接続されていて、前記一つの導電端子１６をともに上記導電層７に接しさせるように先端を商品選択注文表２に当接させ、前記オンオフ制御部１８において一つの導電端子１６の間が導電層７を介して導通状態となったことを検知したときに導電スイッチ１７でのスイッチ回路を閉じ、この導電スイッチ１７の閉時に上記非接触型ＩＣモジュール８と交信するセンサ部１９が動作するように設けられている。そのため、非接触型リーダ３の先端にある前記導電スイッチ１７（対の導電端子）を表示部５の導電層７に当接させることで、その表示部５で表現されている商品の情報６が表示部５の下の非接触型ＩＣモジュール８から非接触型リーダ３が読み取るように設けられている。
【００１０】
上記商品選択注文表２において隣り合う表示部５の間２０は、表示部５の下に配置される非接触型ＩＣモジュール８それぞれの最長応答可能距離より長い間隔としていて、一つの表示部５に非接触型リーダ３を当接させてその表示部５の下の非接触型ＩＣモジュール８からデータを読み取るときに、隣接する表示部５側からのデータも合わせて読み取ることがないよう必ず非接触型ＩＣモジュールとデータ読み取り端末とが所定間隔を保持させるものであるが、本発明において非接触型リーダが読み取り対象物、すなわち、本商品選択注文表に当接している場合でも、シートの厚みとＲＦＩＤリーダにおけるセンサ部の取り付け位置の調整などにより、センサ部とアンテナ部とは所定間隔を保持するように構成されている。また、商品選択注文表の隣り合う表示部の間を、表示部それぞれに対応している非接触型ＩＣモジュールの最長応答可能距離より長い間隔とすることで、一つの表示部に非接触型リーダを当接させたときに他の表示部における非接触型ＩＣモジュールが応答することがなく、データの読み取りをより確実にすることも必須な構成である。なお、非接触型リーダ３の最長読み取り可能距離も非接触型ＩＣモジュール８の最長応答可能距離より短かく上紙９の厚さ寸法より長いものであって、この設定が加わっていることによっても、隣接の表示部５の非接触型ＩＣモジュール８からのデータの読み取りを防止している。
【００１１】
このようにして非接触型リーダ３が読み取ったデータは、このデータが読み取られる毎に有線、または無線にて外部出力され、その出力されるデータを上記表示端末機器４が受けるようにしている。表示端末機器４は、非接触型リーダ３から出力されたデータを、該データに対応する上記情報に変換して、非接触型リーダ３を取り扱う操作者が目視確認できる形態で表現する液晶表示部２１を有しており、操作者が上記商品選択注文表１で選んだ商品が注文のデータとして読み取られているかどうかを確認することができるように設けられている。さらに、この表示端末機器４では非接触型リーダ３の表示部５でのデータ読み取りが行なわれるごとに出力されるデータを集計して記録するデータ集計機能を備えていて、一まとまりの注文用の送信データとして外部出力できるように設けられている。この表示端末機器４からの送信データを受ける所定の作業部所に設置された専用装置、例えば飲食店の会計部所における集計専用装置や厨房での注文内容表示装置などに送られ、更に、顧客（注文者）が着座するボックスに顧客が注文した商品が滞りなく届くように管理する制御装置に送信されるものである。
【図面の簡単な説明】
【００１２】
【図１】本発明に係る商品注文受付システムの一例を示す説明図である。
【図２】一例における商品注文選択表の例を示す説明図である。
【図３】商品注文選択表の要部を断面で示す説明図である。
【図４】一例における非接触型リーダの構成を概略的に示す説明図である。
【符号の説明】
【００１３】
１…商品注文受付システム
２…商品選択注文表
３…非接触型リーダ
４…表示端末機器
５…表示部
６…情報
７…導電層
８…非接触型ＩＣモジュール
１６…導通端子
１７…導電スイッチ
１９…センサ部
２０…隣り合う表示部の間
２１…液晶表示部
【図１】
2008021185.tif 000003
【図２】
2008021185.tif 000004
【図３】
2008021185.tif 000005
【図４】
2008021185.tif 000006